(57)【要約】【課題】洗剤投入用カバーと仕上げ剤投入部を有する洗濯機において、同時に利用される洗剤投入用カバーと仕上げ剤投入部の配置関係を変更し、洗剤、仕上げ剤投入作業の利便性を向上することができる洗濯機を実現する。【解決手段】洗剤投入用カバー１６と仕上げ剤投入部１５とを隣接させ、また、洗剤投入用カバー１６の洗濯兼脱水槽１中央側の形状にテーパー外面１６ａを設けることにより、洗濯開始時に使用者が洗剤と仕上げ剤とを、洗濯兼脱水槽を回転させる準備動作を一度しか行わず同時に投入することができ、洗濯準備作業の利便性を向上させることができると同時に、機体動作時の洗濯兼脱水槽１内の洗濯物の動きを抑制することなく洗濯を行うことができるため、洗浄性能の悪化を防ぐことができる。【選択図】図３
2016174706.tif 000002
【特許請求の範囲】
【請求項１】
筐体内部に、サスペンションを介して防振支持される水受け槽と、前記水受け槽内に回転自在に配設される洗濯兼脱水槽と、前記洗濯兼脱水槽の中央底部に回転自在に配置したパルセータと、前記洗濯兼脱水槽の上部に配置した流体バランサーと、前記流体バランサーに設けられた仕上げ剤投入部と、前記洗濯兼脱水槽内側面に装着した循環水路カバーと、前記循環水路カバーと前記洗濯兼脱水槽内側面との間に形成した循環リント水路と、前記循環水路カバーに形成した洗剤投入部と、前記循環水路カバーに設けられ、前記洗剤投入部を開閉自在に閉塞する洗剤投入用カバーとを備え、前記洗剤投入用カバーと前記仕上げ剤投入部とを隣接する位置に配設した洗濯機。
【請求項２】
洗剤投入用カバーの下方位置に仕上げ剤投入部を配設した請求項１に記載の洗濯機。
【請求項３】
洗剤投入用カバーの回転方向側の両側面に、中央部から端部側に向かうに従って次第に洗濯兼脱水槽に近接するテーパー面を形成した請求項１または請求項２に記載の洗濯機。
【請求項４】
循環水路カバーの上面から下方に向かって、収納状態の洗剤投入用カバーの上端部を覆う被覆部を設けた請求項１から３のいずれか１項に記載の洗濯機。
【発明の詳細な説明】
【技術分野】
【０００１】
本発明は、洗濯兼脱水槽に洗剤投入部と仕上げ剤投入部とを設けた洗濯機に関するものである。
【背景技術】
【０００２】
この種の洗濯機は、従来、図９に示すような構成が一般的であった。以下でその構成について説明する。
【０００３】
図９は、従来の洗濯機の縦断面図である。図９に示すように、洗濯兼脱水槽１には、底面にパルセータ２を回転自在に配置している。水受け槽３は、洗濯兼脱水槽１の外側に設けられている。モータ４は、減速機構兼クラッチ６を介して、洗濯兼脱水槽１及びパルセータ２を選択的に駆動する。排水弁７は、洗濯兼脱水槽１内の洗濯水を排水するためのものであり、給水弁８は洗濯兼脱水槽１内に給水するためものである。水受け槽３は、サスペンション１０を介して筐体９に防振支持されている。
【０００４】
洗濯兼脱水槽１の上部には、環状の流体バランサー１１が設けられており、流体バランサー１１により脱水時の振動低減を図っている。流体バランサー１１の一部の内側には、洗濯兼脱水槽１に仕上げ剤を供給する仕上げ剤投入部１５が設けられている。洗濯兼脱水槽１の内側面には、循環水路カバー１３が装着されており、循環水路カバー１３と洗濯兼脱水槽１との間に循環リント水路１４が形成されている。循環水路カバー１３には、循環水路カバー１３に形成した洗剤投入口を開閉自在に閉塞する洗剤投入用カバー１６が設けられており、洗剤投入用カバー１６は、洗剤投入用カバー１６を閉塞した第１の状態と、洗剤投入用カバー１６を開放した第２の状態との間を回動する。
【０００５】
上記構成の洗濯機の動作を説明する。使用者は、最初に洗濯物を洗濯兼脱水槽１内部に投入する。次に、洗剤投入用カバー１６を開き、洗剤投入用カバー１６の内部に洗剤を投入する。洗剤投入用カバー１６から投入された洗剤は、洗剤投入口を介して洗濯兼脱水槽１と循環水路カバー１３の間を通り、洗濯兼脱水槽１とパルセータ２外周との間に形成されるポンプ室１８に運ばれる。さらに、仕上げ剤を仕上げ剤投入部１５に投入する。
【０００６】
洗濯が開始されると、制御装置１２により、給水弁８から洗濯兼脱水槽１に対して、給水が行われる。その後、制御装置１２に従い、モータ４が駆動し、パルセータ２が回転することにより発生する水流によって、ポンプ室１８の間に落ちた洗剤が溶解される。給水が進むと、ポンプ室１８内で溶解した洗剤液は、パルセータ２の駆動による下側羽根１７の回転から機械力を受け、ポンプ室１８から循環リント水路１４へと押し出される。上記の行程により、洗濯兼脱水槽１の中の洗濯物と洗濯液が攪拌され、洗濯物の洗浄が行われる。また、仕上げ剤投入部１５から投入された仕上げ剤は、洗い行程後のすすぎ行程において、洗濯兼脱水槽１の脱水回転により、洗濯兼脱水槽１内へと投入される。
【先行技術文献】
【特許文献】
【０００７】
【特許文献１】特開昭６３−１１７７９８号公報
【発明の概要】
【発明が解決しようとする課題】
【０００８】
上記従来の洗濯機では、洗濯開始時に同時に利用する洗剤投入用カバー１６と仕上げ剤投入部１５が離間した位置に配置されている。洗剤投入用カバー１６と仕上げ剤投入部１
５を離間した位置に配置しているのは、洗濯動作時に、洗濯兼脱水槽１内の洗濯物の動きを妨げることのないよう、洗濯兼脱水槽１の半径方向に対する洗剤投入用カバー１６の厚みを極力小さくするためである。
【０００９】
しかしながら、洗剤投入用カバー１６と仕上げ剤投入部１５が離間しているために、洗剤、仕上げ剤を投入する際には、洗濯兼脱水槽１を、洗剤を洗剤投入用カバー１６から投入し易い位置と、仕上げ剤を仕上げ剤投入部１５から投入し易い位置とに回転させる必要があり、使用勝手が悪い問題がある。
【００１０】
本発明は、上記従来の課題を解決するものであり、洗剤と仕上げ剤の投入作業の利便性を向上し得る洗濯機を提供することを目的としている。
【課題を解決するための手段】
【００１１】
本発明は、上記目的を達成するため、筐体内部に、サスペンションを介して防振支持される水受け槽と、前記水受け槽内に回転自在に配設される洗濯兼脱水槽と、前記洗濯兼脱水槽の中央底部に回転自在に配置したパルセータと、前記洗濯兼脱水槽の上部に配置した流体バランサーと、前記流体バランサーに設けられた仕上げ剤投入部と、前記洗濯兼脱水槽内側面に装着した循環水路カバーと、前記循環水路カバーと前記洗濯兼脱水槽内側面との間に形成した循環リント水路と、前記循環水路カバーに形成した洗剤投入部と、前記循環水路カバーに設けられ、前記洗剤投入部を開閉自在に閉塞する洗剤投入用カバーとを備え、前記洗剤投入用カバーと前記仕上げ剤投入部とを隣接する位置に配設している。
【００１２】
これにより、洗剤投入用カバーと仕上げ剤投入部とが隣接するため、洗濯時に洗剤と仕上げ剤とを投入する際に、洗濯兼脱水槽を手動にて回転させる回数を減らすことができ、使用勝手を向上することができる。
【発明の効果】
【００１３】
本発明の洗濯機は、洗濯時に洗剤と仕上げ剤とを投入する際に洗濯兼脱水槽を回転させる回数を減らすことができ、使用勝手を向上することができる。
【図面の簡単な説明】
【００１４】
【図１】本発明の実施の形態１の洗濯機の縦断面図
【図２】同洗濯機の洗濯兼脱水槽の縦断面図
【図３】同洗濯機の洗濯投入用カバーの開閉動作を示す縦断面図
【図４】同洗濯機の洗濯投入用カバーを開いた状態の要部斜視図
【図５】同洗濯機の洗濯投入用カバーを開いた状態の要部斜視図
【図６】同洗濯機の洗濯投入用カバーを外した状態の要部斜視図
【図７】同洗濯機の仕上げ剤流出装置の要部横断面図
【図８】（ａ）同仕上げ剤流出装置の仕上げ剤の第２室への移動時の断面図、（ｂ）同仕上げ剤流出装置の仕上げ剤の第４室への移動時の断面図、(ｃ)同仕上げ剤流出装置の仕上げ剤の流出状態の断面図
【図９】従来の洗濯機の縦断面図
【発明を実施するための形態】
【００１５】
第１の発明は、筐体内部に、サスペンションを介して防振支持される水受け槽と、前記水受け槽内に回転自在に配設される洗濯兼脱水槽と、前記洗濯兼脱水槽の中央底部に回転自在に配置したパルセータと、前記洗濯兼脱水槽の上部に配置した流体バランサーと、前記流体バランサーに設けられた仕上げ剤投入部と、前記洗濯兼脱水槽内側面に装着した循環水路カバーと、前記循環水路カバーと前記洗濯兼脱水槽内側面との間に形成した循環リント水路と、前記循環水路カバーに形成した洗剤投入部と、前記循環水路カバーに設けら
れ、前記洗剤投入部を開閉自在に閉塞する洗剤投入用カバーとを備え、前記洗剤投入用カバーと前記仕上げ剤投入部とを隣接する位置に配設したものである。
【００１６】
これにより、洗剤投入用カバーと仕上げ剤投入部とが隣接するため、洗濯時に洗剤と仕上げ剤とを投入する際に、洗濯兼脱水槽を手動にて回転させる回数を減らすことができ、使用勝手を向上することができる。
【００１７】
第２の発明は、第１の発明において、洗剤投入用カバーの下方位置に仕上げ剤投入部を配設することにより、洗濯時に洗剤と仕上げ剤とを投入する際に、洗濯兼脱水槽を手動にて回転させる回数を減らすことができ、使用勝手を向上することができる。
【００１８】
第３の発明は、第１または第２の発明において、洗剤投入用カバーの回転方向側の両側面に、中央部から端部側に向かうに従って次第に洗濯兼脱水槽に近接するテーパー面を形成することにより、洗濯兼脱水槽内の洗濯物の動きを妨げるのを抑制でき、洗濯性能の低下を抑制できる。
【００１９】
第４の発明は、第１から第３のいずれかの発明において、循環水路カバーの上面から下方に向かって、収納状態の洗剤投入用カバーの上端部を覆う被覆部を設けることにより、洗濯物が洗剤投入用カバーの上端部に引っかかるのを抑制することができる。
【００２０】
以下、本発明の実施の形態について、図面を参照しながら説明する。なお、従来例と同じ構成部品は、従来例と同一符号を付して説明を省略する。また、本実施の形態によって本発明が限定されるものではない。
【００２１】
（実施の形態１）
図１は、本発明の実施の形態１における洗濯機の縦断面図、図２は、同洗濯機の洗濯兼脱水槽の縦断面図、図３は、同洗濯機の洗濯投入用カバーの開閉動作を示す縦断面図、図４は、同洗濯機の洗濯投入用カバーを開いた状態の要部斜視図、図５は、同洗濯機の洗濯投入用カバーを開いた状態の要部斜視図、図６は、同洗濯機の洗濯投入用カバーを外した状態の要部斜視図である。
【００２２】
図１において、筐体９内には、水受け槽３が配設され、水受け槽３は、サスペンション１０によって筐体９に防振支持されている。水受け槽３内には、洗濯兼脱水槽１が回転自在に収納され、洗濯兼脱水槽１の内底面には、パルセータ２が回転自在に配設されている。洗濯兼脱水槽１およびパルセータ２は、水受け槽３裏面に配設されるモータ４により選択的に回転駆動される。
【００２３】
洗濯兼脱水槽１の上部には、環状の流体バランサー１１が脱水時の振動低減を目的として設けられている。流体バランサー１１の内周側上部には、洗濯兼脱水槽１に仕上げ剤を供給する仕上げ剤流出装置２２を設けており、流体バランサー１１の上面に仕上げ剤流出装置２２の仕上げ剤投入部１５が形成されている。
【００２４】
図７は、本実施の形態の洗濯機の仕上げ剤流出装置の要部横断面図である。図８（ａ）は、同仕上げ剤流出装置の仕上げ剤の第２室への移動時の断面図、図８（ｂ）は、同仕上げ剤流出装置の仕上げ剤の第４室への移動時の断面図、図８(ｃ)は、同仕上げ剤流出装置の仕上げ剤の流出状態の断面図である。
【００２５】
図７及び図８(ａ)、(ｂ)、（ｃ）に基づいて仕上げ剤流出装置２２を説明する。
【００２６】
仕上げ剤流出装置２２の内周側には、第１室２３が形成され、仕上げ剤投入部１５から
投入された仕上げ剤が第１室２３に供給される。第１室２３には、第１室２３の外周側に隣接して第２室２４が区画形成されており、第１室２３と第２室２４は、第１室２３と第２室２４を区画する隔壁の上方に形成される第１移動通路２５により連通している。第１室２３と第２室２４には、第１室２３及び第２室２４の周方向に隣接して第３室２６が隔壁により区画形成されており、第２室２４と第３室２６は、第２室２４と第３室２６を区画する隔壁の内周側を切欠して形成した第２移動通路２７により連通している。第２室２４の底面は、第２移動通路２７に向かって傾斜しており、第２室２４に移動した仕上げ剤は、重力により第２移動通路２７を通過して第３室２６に移動する。
【００２７】
第３室２６には、第３室２６の内周側に隣接して隔壁により第４室２８が区画形成されており、第３室２６と第４室２８とを区画する隔壁には、所定の高さの位置に第３移動通路２９となる開口が穿設されている。第４室２８には、第４室２８の周方向に隣接して流出通路３０が隔壁により区画形成されている。第４室２８と流出通路３０は、第４室２８と流出通路３０を区画する隔壁の内周側を切欠して形成した第４移動通路３１により連通している。第４室２８の底面は、第４移動通路３１に向かって傾斜しており、第４室２８に移動した仕上げ剤は、重力により第４移動通路３１を通過して流出通路３０に移動する。図８（Ｃ）に示すように、流出通路３０の底面は、流出通路３０の流出口３２に向かって傾斜しており、流出通路３０に移動した仕上げ剤は、重力により流出口３２から水受け槽３と洗濯兼脱水槽１との間の空間に供給される。
【００２８】
洗濯兼脱水槽１の内側面には、仕上げ剤投入部１５の下方位置に循環水路カバー１３を装着しており、循環水路カバー１３と洗濯兼脱水槽１内面との間に循環リント水路１４を形成している。循環水路カバー１３の上部には、洗剤投入口３３が形成され、洗剤投入口３３は、循環水路カバー１３に回動自在に支持される洗剤投入用カバー１６により開閉自在に閉塞される。洗剤投入用カバー１６には、軸１９が形成され、循環水路カバー１３には、軸１９を軸支する軸受け部２０が形成されており、洗剤投入用カバー１６は、軸１９を支点として、洗剤投入口を閉塞する位置と、洗剤投入口を開放する位置との間を回動する。
【００２９】
循環水路カバー１３には、流体バランサー１１側に上面３４を形成し、上面３４の両端部から下方に向かって被覆部２１を延設している。
【００３０】
洗剤投入用カバー１６は、収納状態で、上端部が被覆部２１により覆われるよう構成している。洗剤投入用カバー１６は、収納状態で上端部が被覆部２１により覆われるので、洗剤投入用カバー１６の上端部に洗濯物が引っかかるのを抑制することができる。
【００３１】
洗剤投入用カバー１６には、上端部から上方に向かって取っ手部３５を延設している。取っ手部３５は、洗剤投入用カバー１６の収納状態で、取っ手部３５の流体バランサー１１側の面が流体バランサー１１に当接、もしくは近接して対向するよう構成している。これにより、取っ手部３５と流体バランサー１１との間に洗濯物が引っかかるのを抑制することができる。取っ手部３５の回転方向側の両側面及び上方側の側面は、テーパー面を形成しているので、洗濯物の動きを妨げるのを抑制することができる。取っ手部３５には上方側の側面に切欠によって指掛け部３６を形成し、指掛け部３６に指を掛けることにより洗剤投入用カバー１６を開放することができる。洗剤投入用カバー１６は、洗剤投入用カバー１６の上部に形成した係合部３７を循環水路カバー１３に形成した係止部（図示せず）に係合することにより、閉塞状態に保持される。
【００３２】
洗濯兼脱水槽１の側面を構成する部分は、ステンレス鋼板をリング状に巻回し、ステンレス鋼板の両端部分を接合することにより構成しており、循環水路カバー１３及び洗剤投入用カバー１６は、ステンレス鋼版の接合部分を覆う位置に配設している。ステンレス鋼
版の接合部分を循環水路カバー１３及び洗剤投入用カバー１６により覆うことにより、接合部分が使用者から見えないようにすることができ、見栄えのよいものにすることができる。
【００３３】
以上のように構成した洗濯機について、その動作、作用を説明する。
【００３４】
使用者は、洗濯兼脱水槽１内部に、洗濯物を投入し、洗剤及び仕上げ剤を洗剤投入口３３及び仕上げ剤投入部１５に投入する。
【００３５】
洗剤及び仕上げ剤を投入するに際し、洗剤及び仕上げ剤を投入し易い位置に洗濯兼脱水槽１を手動で回転させる。洗剤投入用カバー１６と仕上げ剤投入部１５とは、隣接する位置に配設するよう構成しているので、洗濯開始時に使用者が洗剤と仕上げ剤とを投入する際の洗濯兼脱水槽を回転させる準備動作の回数を一度だけにすることができ、洗濯準備作業の利便性の向上を実現することができる。
【００３６】
洗剤を投入する際には、洗剤投入用カバー１６を開放し、開放した洗剤投入用カバー１６上に洗剤を投入する。開放した状態の洗剤投入用カバー１６は、図３及び図６に示すように、遊端側が上方に位置し、洗剤投入用カバー１６の上面が洗剤投入口３３に向かって傾斜するよう構成しているので、洗剤投入用カバー１６上に投入された洗剤は、洗剤投入口３３に向かって導かれる。洗剤投入用カバー１６上に残ったままの洗剤は、洗剤投入用カバー１６を閉塞位置に回動することにより洗剤投入口３３に導かれる。洗剤投入用カバー１６から洗剤投入口３３に向かって導かれた洗剤は、水受け槽３と洗濯兼脱水槽１との間の空間に導かれる。水受け槽３と洗濯兼脱水槽１との間に供給された洗剤は、水受け槽３内に水が供給され、洗濯兼脱水槽１またはパルセータ２が回転する際の水流により溶解される。
【００３７】
仕上げ剤は、仕上げ剤投入部１５から投入する。仕上げ剤投入部１５から投入された仕上げ剤は、仕上げ剤流出装置２２の第１室２３に収容される。
【００３８】
洗い行程を開始すると、パルセータ２が回転し、洗濯物は、パルセータ２の回転により洗濯兼脱水槽１内部で攪拌され、汚れが落とされる。
【００３９】
洗い行程終了後、水受け槽３内の水が排水され、洗濯兼脱水槽１を回転させて洗濯物の脱水が行われる。洗濯兼脱水槽１の回転により、仕上げ剤流出装置２２の第１室２３に収容された仕上げ剤は、遠心力により第１室２３の外周側に移動し、図７及び図８（ａ）中に矢印ａにて示すように、第１移動通路２５を通って第２室２４に移動し、図７及び図８（ｂ）中にｂにて示すように、第２室２４の外周側側面に押し付けられた状態となる。
【００４０】
脱水が終了し、洗濯兼脱水槽１が回転を停止すると、第２室２４の外周側側面に移動した仕上げ剤は、遠心力がなくなるために、重力の作用により、図７中に矢印ｃにて示すように、第２移動通路２７を通って第３室２６に移動する。
【００４１】
次に、すすぎ行程が行なわれる。水受け槽３内に所定量の水が供給され、パルセータ２が回転し、洗濯物のすすぎが行なわれる。
【００４２】
すすぎの終了後、洗濯兼脱水槽１を回転させ、洗濯物の脱水が行われる。洗濯兼脱水槽１が回転すると、第３室２６内の仕上げ剤は、第３室２６の外周側に移動し、図７及び図８（ｂ）中に矢印ｄにて示すように、第３移動通路２９を通って第４室２８に移動する。第４室２８に移動した仕上げ剤は、図７及び図８（ｂ）中にｅにて示すように、遠心力により第４室２８の外周側側面に押し付けられた状態となる。
【００４３】
脱水が終了し、洗濯兼脱水槽１が回転を停止すると、第４室２８内の仕上げ剤は、重力により第４移動通路３１を通って流出通路３０に移動し、流出通路３０から水受け槽３と洗濯兼脱水槽１との間の空間に流れ落ちる。
【００４４】
次に、最終すすぎ行程が行なわれる。水受け槽３内に所定量の水が供給され、パルセータ２が回転し、洗濯物の最終すすぎが行なわれる。最終すすぎ行程の水に仕上げ剤が溶解され、洗濯物に仕上げ剤を付着させる。
【００４５】
図２に示すように、洗剤投入用カバー１６は、中央部に向かうに従って次第に洗濯兼脱水槽１内側に向かって突出するように、換言すれば、中央部から外周側に向かうに従って次第に洗濯兼脱水槽１側に近づくようにテーパー外面１６ａを形成している。
【００４６】
例えば、洗い行程において、パルセータ２の回転により、洗濯兼脱水槽１内には水流が発生し、水流によって洗濯物が攪拌される。攪拌された洗濯物は、洗剤投入用カバー１６に衝突するが、洗剤投入用カバー１６には、テーパー外面１６ａが形成されているので、洗濯物はテーパー外面１６ａに沿って移動し、洗剤投入用カバー１６を回避する。テーパー外面１６ａにより洗濯物の攪拌による動きを妨げるのを抑制することができる。テーパー外面１６ａは、洗剤投入用カバー１６の両側面に形成しているので、パルセータ２の正転時と逆転時のどちらにおいても洗濯物の動きを妨げるのを抑制することが可能となる。
【００４７】
洗剤投入用カバー１６は、開放した状態では、図４及び図６に示すように、テーパー外面１６ａに対応してテーパー内面１６ｂが形成される。
【００４８】
洗剤を投入する際に、洗剤が洗剤投入用カバー１６の端部に投入された場合でも、テーパー内面１６ｂにより、洗剤は洗剤投入用カバー１６の中心部に導かれるので、使用者が洗剤を投入する際に、洗剤を狙って投入する必要がなく、洗濯準備作業の利便性を向上することができる。
【産業上の利用可能性】
【００４９】
以上のように、本発明にかかる洗濯機は、洗浄性能を悪化させることなく、洗剤と仕上げ剤との投入作業の利便性を向上させることが可能となるので、家庭用の洗濯機や洗濯乾燥機等として有用である。
【符号の説明】
【００５０】
１  洗濯兼脱水槽
３  水受け槽
９  筐体
１１  流体バランサー
１３  循環水路カバー
１４  循環リント水路
１５  仕上げ剤投入部
１６  洗剤投入用カバー
１６ａ  テーパー外面
１６ｂ  テーパー内面
１９  軸
２０  軸受け部
２１  被覆部
２２  仕上げ剤流出装置
３３  洗剤投入口
【図１】
2016174706.tif 000003
【図２】
2016174706.tif 000004
【図３】
2016174706.tif 000005
【図４】
2016174706.tif 000006
【図５】
2016174706.tif 000007
【図６】
2016174706.tif 000008
【図７】
2016174706.tif 000009
【図８】
2016174706.tif 000010
【図９】
2016174706.tif 000011